(57)【要約】【課題】被梱包物を保護し、開封も容易に行える封緘テープを提供する。【解決手段】左右両側の蓋フラップ１１，１１の合わせ目１２に合わせて封緘テープ１の幅方向中央の中央帯５の非粘着層４を位置させて貼り付け封止する。段ボールケースの開封時には、左右の蓋フラップ１１，１１を押し下げると、ミシン目等の切込み線６を容易に切り離すことができ、開封することができる。段ボールケースの流通時に、万一、蓋フラップ１１，１１の合わせ目１２から被梱包物の一部がはみ出したとしても、中央帯５の非粘着層４の幅に納まっておれば、非粘着層４が被梱包物と接触するだけで、封緘テープが被梱包物に付着することはない。【選択図】  図３
2018199746.tif 000002
【特許請求の範囲】
【請求項１】
基材の裏面の幅方向の左右両側にテープの長さ方向に沿って設けられた左右の粘着層と、基材の裏面中央部付近に前記左右の粘着層に挟まれてテープの長さ方向に沿って設けられた中央部の非粘着層とを備え、前記中央部の非粘着層には、テープの長さ方向に沿う中央部で切離するための断続する切込み線が前記基材を貫通して設けられたことを特徴とする封緘テープ。
【請求項２】
基材の裏面の全面に粘着層が設けられ、該粘着層の幅方向中央部付近に裏面が非粘着層とされる中央帯が設けられ、前記中央帯が基材の裏面に粘着されることにより、中央帯の左右両側に粘着層が形成され、前記基材及び中央帯の幅方向中央部に、テープの長さ方向に沿う中央部で切離すための断続する切込み線が前記基材及び中央帯を貫通して設けられたことを特徴とする封緘テープ。
【請求項３】
請求項１又は請求項２の封緘テープを用いて段ボールケースの蓋フラップへ封緘テープを貼り付ける際に、左右両側の蓋フラップの合わせ目に合わせて封緘テープの幅方向中央の非粘着層が位置するようにして、左右の蓋フラップに封緘テープの左右両側の粘着層を貼り付け、段ボールケースを開封するときに、段ボールケースの天面中央部の左右蓋フラップを押し下げることにより、切込み線を切り離し、封緘テープを破断して段ボールケースを開封することを特徴とする段ボールケースの封緘・開封方法。
【発明の詳細な説明】
【技術分野】
【０００１】
本発明は、段ボールケース等に貼る封緘テープで、特にミシン目等の切込み線を有し、段ボールケース等を容易に開封することができる封緘テープに関するものである。
【背景技術】
【０００２】
この種の封緘テープとして、基材の裏面全面に粘着層が形成されており、封緘テープにより段ボールケースを封緘した場合、開封時には、封緘テープを爪で剥がしたり、カッターなどの刃物で切断したりしていた。
【０００３】
封緘テープを爪で剥がす方法では、開封に非常に手間が掛かり、爪自体を傷つけるおそれがある。また、刃物を使用した際には内容物を傷つけるおそれがあった。
【０００４】
上記特許文献１では、粘着テープの幅方向中央部付近にテープ長さ方向に沿ってミシン目を入れた粘着テープが開示されている。この粘着テープによると、テープを上から手で軽いく叩く程度で、容易に切り離すことができる。
【０００５】
また、特許文献２には、糊のつかない部分を挟んで両側に糊のついた部分をもって構成した封緘テープが開示されている。このテープの接着部分より少し突出した他端のツマミを引くことにより、中央部分は接着されていないので、開封が容易に行える。
【先行技術文献】
【特許文献】
【０００６】
【特許文献１】実開昭６２−８３８４０号公報
【特許文献２】実開昭５１−１０４９００号公報
【発明の概要】
【発明が解決しようとする課題】
【０００７】
しかし、特許文献１では、段ボールケース内の被梱包物がケース外にはみ出した際に、封緘テープに粘着してしまい、剥がすときに引っ張られて被梱包物が破れてしまうおそれがある。また、ミシン目を段ボールケースの蓋フラップの合わせ目からずれて封緘した場合、蓋フラップの表面に貼り付いたミシン目部分が切れずに途中でテープが千切れてしまうおそれがある。したがって、封緘時にミシン目と左右の蓋フラップの合わせ目とをずれないように封緘しなければならず、封緘作業に細心の注意が必要となる。
【０００８】
また、特許文献２では、テープの接着部分からはみ出したツマミを引き上げることでテープを容易に剥がすことができるが、テープの端部にツマミを形成する必要があり、ツマミ形成用の余分な材料が必要となり、また、外観的にも好ましいものとは言えない。
【０００９】
本発明は、上記に鑑み、被梱包物が段ボールケース等の蓋フラップの合わせ目からはみ出した状態でも封緘テープに付着することなく、被梱包物を保護することができ、また、開封も容易に行える封緘テープの提供を目的とする。
【課題を解決するための手段】
【００１０】
上記目的を達成するため、本発明は、基材の裏面の幅方向の左右両側にテープの長さ方向に沿って設けられた左右の粘着層と、基材の裏面中央部付近に前記左右の粘着層に挟まれてテープの長さ方向に沿って設けられた中央部の非粘着層とを備え、前記中央部の非粘着層には、テープの長さ方向に沿う中央部で切離するための断続する切込み線が前記基材を貫通して設けられている。
【００１１】
その好適な実施形態としては、基材の裏面の全面に粘着層が設けられ、該粘着層の幅方向中央部付近に裏面が非粘着層とされる中央帯が設けられ、前記中央帯が基材の裏面に粘着されることにより、中央帯の左右両側に粘着層が形成され、前記基材及び中央帯の幅方向中央部に、テープの長さ方向に沿う中央部で切離すための断続する切込み線が前記基材及び中央帯を貫通して設けられたものを例示することができる。
【発明の効果】
【００１２】
本発明の封緘テープを用いて段ボールケースの蓋フラップを封止するときは、左右両側の蓋フラップの合わせ目に合わせて封緘テープの幅方向中央の非粘着層を位置させて、左右の蓋フラップに封緘テープの左右の粘着層を貼り付けて封止する。また、段ボールケースを開封するときに、段ボールケースの左右の蓋フラップを押し下げると、ミシン目等の切込み線を切り離すことができ、これにより、封緘テープを破断して段ボールケースを開封することができる。段ボールケースの流通時において、万一、段ボールケースの蓋フラップの合わせ目から被梱包物の一部がはみ出したとしても、非粘着層（中央帯）の幅に納まっておれば、非粘着層が被梱包物と接触するだけなので、封緘テープが被梱包物に付着することはない。また、蓋フラップの合わせ目から切込み線（ミシン目）がずれて封止されていたとしても、開封時に左右の蓋フラップを押し下げるだけで、切込み線が破断し、開封することができる。
【図面の簡単な説明】
【００１３】
【図１】本発明の第１の実施形態である封緘テープをロール状に巻き上げた状態を示す斜視図である。
【図２】同じく封緘テープの横断面図である。
【図３】同じく封緘テープを使用した封止・開封操作を示す説明図である。
【図４】本発明の第２の実施形態である封緘テープの横断面図である。
【発明を実施するための形態】
【００１４】
本発明の実施形態を図面に基づいて説明する。本実施形態の封緘テープ１は、図１および図２に示すように、基材２の裏面全面に粘着層３が設けられ、該粘着層３の幅方向中央部付近に裏面が非粘着層４とされる中央帯５が設けられ、前記中央帯５が基材２の裏面に粘着されることにより、中央帯５の左右両側に粘着層３ａ，３ｂが形成され、前記基材２及び中央帯５の幅方向中央部に、テープの長さ方向に沿う中央部でテープを切離すための断続する切込み線６（ミシン目）が前記基材２及び中央帯５を貫通して設けられている。
【００１５】
基材２は、シート状あるいはフィルム状のもので、例えば、ポリエチレンテレフタレート（ＰＥＴ）、ナイロン、セルロースジアセテート、ポリスチレン、ポリエチレン、ポリプロピレン、ポリエステル、ポリイミド、ポリ塩化ビニル、ポリカーボネートなどのプラスチック、銅、アルミニウムなどの金属、紙、含浸紙などを単独あるいは組み合わせて積層したりして用いることができる。基材２の幅は、段ボールケース１０の左右の蓋フラップ１１を左右の粘着層３ａ，３ｂで接着可能で、かつ中央帯５により蓋フラップ１１，１１間の合わせ目を覆うことができる程度であればよく、４０ｍｍ〜７０ｍｍ程度が好ましい。
【００１６】
粘着層３は、封緘用に使用される周知の材料を使用することができる。例えば、アクリル樹脂、アクリル酸エステル樹脂、またはこれらの共重合体、スチレン−ブタジエン共重合体、ポリビニルエーテル、シリコーン樹脂等が挙げられる。これらの材料による粘着層３は、上記の樹脂材料を水や溶剤に溶解、あるいは分散させた塗工液により、グラビア印刷法、スクリーン印刷法、グラビア版を用いたリバースロールコーティング法等の形成手段により、基材２の裏面に塗工し、乾燥して形成することができる。
【００１７】
中央帯５は、裏面側が非粘着性のものであれば、種々の材料のものを採用することができる。例えば、本実施形態では、層間紙を採用している。段ボールケースの封緘用として、また、切込み線６を形成するために、幅１０〜２０ｍｍ程度のものを採用している。
【００１８】
切込み線６は、例えば、ミシン目が例示できる。破断強度は、断続する接合部分と非接合部分との長さ比を調整することにより所望の値を得ることができる。切込み線６は、基材２のみならず、中央帯５までにも及ぶ。この切込み線６は、図1に示すように、封緘テープ１をロール芯に巻き付けた状態で提供する場合は予め形成しておく。また、被梱包物の梱包ラインで封緘テープを貼り付ける場合は、封緘テープ１の貼り付け直前にミシン刃にて切込み線６（ミシン目）を入れて封緘するようにする。このように、切込み線６の形成タイミングは、種々選択することができる。
【００１９】
図３に封緘テープを使用した封止・開封操作を示す。封緘テープを用いて段ボールケースの蓋フラップを封止するときは、図３（ａ）に示すように、左右両側の蓋フラップ１１，１１を閉じ、両蓋フラップ１１，１１の合わせ目に合わせて封緘テープ１の幅方向中央の中央帯５における非粘着層を位置させて、左右の蓋フラップ１１，１１に封緘テープ１の左右の粘着層３ａ，３ｂを貼り付けて封止する（同図（ｂ）参照）。
【００２０】
また、段ボールケース１０を開封するときは、図３（ｃ）に示すように、段ボールケース１０の左右の蓋フラップ１１，１１を手で押し下げると、その押下げ力により封緘テープ１のミシン目等の切込み線６部分に引張応力あるいはせん断応力が作用し、切込み線６を容易に破断して切り離すことができ、これにより、封緘テープ１を破断して段ボールケース１０を開封することができる（同図（ｄ）参照）。
【００２１】
このとき、蓋フラップ１１，１１の合わせ目１２から切込み線６（ミシン目）がずれて封止されていたとしても、切込み線６が存在する部分は非粘着層４が位置する部分なので、非粘着層４が蓋フラップ１１，１１と接着しているわけではなく、開封時に左右の蓋フラップ１１，１１を押し下げるだけで、切込み線６が破断し、容易に開封することができる。
【００２２】
また、封止した段ボールケース１０の流通時において、万一、段ボールケース１０に負荷がかかり、左右の蓋フラップ１１，１１の合わせ目１２から被梱包物の一部がはみ出したとしても、はみ出し部分には中央帯５の非粘着層４が位置しているので、非粘着層４が被梱包物と接触するだけとなり、封緘テープ１の粘着層３ａ，３ｂが被梱包物に付着することはない。
【００２３】
このように、本実施形態では、被梱包物が段ボールケース１０の蓋フラップ１１，１１の合わせ目１２からはみ出した状態でも封緘テープ１に付着することなく、被梱包物を保護することができ、また、開封も容易に行なうことができる。
【００２４】
図４は本発明の第２の実施形態である封緘テープの横断面図を示す。この第２の実施形態では、第１の実施形態と異なり、中央帯を使用しないで、基材の裏面に粘着層３ａ，３ｂと非粘着層４とを形成したものである。
【００２５】
すなわち、第２の実施形態では、基材２の裏面の幅方向の左右両側にテープの長さ方向に沿って設けられた左右の粘着層３ａ，３ｂと、基材２の裏面中央部付近に前記左右の粘着層３ａ，３ｂに挟まれてテープの長さ方向に沿って設けられた中央部の非粘着層４とを備え、前記中央部の非粘着層４には、テープの長さ方向に沿う中央部で切離するための断続する切込み線６が前記基材２を貫通して設けられたものである。
【００２６】
上記構成においては、第１の実施形態のように、中央帯５を設けていない分、材料の削減が可能であるが、切込み線６の断続長さを調整して接合強度を保つことができる。
【００２７】
なお、本発明は、上記実施形態に限定されるものではなく、本発明の範囲内で多くの修正・変更を加えることができるのは勿論である。
【符号の説明】
【００２８】
１    封緘テープ
２    基材
３    粘着層
３ａ，３ｂ    粘着層
４    非粘着層
５    中央帯
６    切込み線（ミシン目）
１０    段ボールケース
１１    蓋フラップ
１２    合わせ目
【図１】
2018199746.tif 000003
【図２】
2018199746.tif 000004
【図３】
2018199746.tif 000005
【図４】
2018199746.tif 000006